(57)【要約】【課題】人体への装着が容易で消費電力の少ない生体データ測定システム及び生体データ測定方法を提供する。【解決手段】生体データ測定システムは、第１の生体データを測定する測定部と、前記第１の生体データの第１の特徴量の発生時刻に対応する第１の基準時刻を設定する設定部と、前記第１の基準時刻から予め決められた第１の期間経過後の時刻に信号を送信する送信部とを備える送信装置と、第２の生体データを測定する測定部と、前記第２の生体データの第２の特徴量の発生時刻に対応する第２の基準時刻を設定する設定部と、前記第２の基準時刻から第２の期間経過後の時刻からの第３の期間の間、前記信号を待ち受ける状態を維持する受信部とを備える受信装置と、を備える。【選択図】図１
2020010983.tif 000002
【特許請求の範囲】
【請求項１】
第１の生体データを測定する測定部と、
前記第１の生体データの第１の特徴量の発生時刻に対応する第１の基準時刻を設定する設定部と、
前記第１の基準時刻から予め決められた第１の期間経過後の時刻に信号を送信する送信部と、
を備える送信装置と、
第２の生体データを測定する測定部と、
前記第２の生体データの第２の特徴量の発生時刻に対応する第２の基準時刻を設定する設定部と、
前記第２の基準時刻から第２の期間経過後の時刻からの第３の期間の間、前記信号を待ち受ける状態を維持する受信部と、
を備える受信装置と、
を備える生体データ測定システム。
【請求項２】
前記受信装置は、前記第２の基準時刻から前記信号の受信時刻までの第４の期間を算出し、前記第１の期間と前記第４の期間との時間差に基づいてＰＴＴを算出する算出部をさらに備える、請求項１に記載の生体データ測定システム。
【請求項３】
前記受信装置は、所定の回数連続する前記第３の期間内における前記信号の未受信に基づいて、前記第２の期間の長さ及び前記第３の期間の長さのうちの少なくとも何れか一方を調整する調整部をさらに備える、請求項１に記載の生体データ測定システム。
【請求項４】
前記受信装置は、前記信号の受信時刻が前記第３の期間内における所定時刻ではない場合、前記信号の受信時刻が前記第３の期間内における前記所定時刻に近づくように前記第２の期間の長さを調整する調整部をさらに備える、請求項１に記載の生体データ測定システム。
【請求項５】
前記受信装置は、前記第２の基準時刻から前記信号の受信時刻までの第４の期間を算出する算出部と、前記第４の期間の算出毎に前記第２の期間の長さ及び前記第３の期間の長さのうちの少なくとも何れか一方を調整する調整部とをさらに備える、請求項１に記載の生体データ測定システム。
【請求項６】
前記第１の生体データはＥＣＧであり、
前記第２の生体データは脈波である、
請求項１に記載の生体データ測定システム。
【請求項７】
送信装置において、第１の生体データを測定する過程と、
前記送信装置において、前記第１の生体データの第１の特徴量の発生時刻に対応する第１の基準時刻を設定する過程と、
前記送信装置において、前記第１の基準時刻から予め決められた第１の期間経過後の時刻に信号を送信する過程と、
受信装置において、第２の生体データを測定する過程と、
前記受信装置において、前記第２の生体データの第２の特徴量の発生時刻に対応する第２の基準時刻を設定する過程と、
前記受信装置において、前記第２の基準時刻から第２の期間経過後の時刻からの第３の期間の間、前記信号を待ち受ける状態を維持する過程と、
を備える生体データ測定方法。
【発明の詳細な説明】
【技術分野】
【０００１】
この発明は、生体データ測定システム及び生体データ測定方法に関する。
【背景技術】
【０００２】
ＰＴＴ（Ｐｕｌｓｅ  Ｔｒａｎｓｉｔ  Ｔｉｍｅ：脈波伝播時間）が血圧と相関することは以前から知られている。そのため、血圧はＰＴＴに基づいて推定可能である。
【０００３】
また、ＥＣＧ（Ｅｌｅｃｔｒｏｃａｒｄｉｏｇｒａｍ：心電図）及び脈波に基づいてＰＴＴを測定する技術が知られている。例えば、ＰＴＴに基づいて血圧を推定するシステムは、ＥＣＧを測定する装置と脈波を測定する装置とで構成されている。
【０００４】
ＥＣＧを測定する装置と脈波を測定する装置が有線で接続されていると、２つの装置を人体に装着するには手間がかかる。２つの装置を人体に簡単に装着するために、特許文献１には、２つの装置を無線で接続した生体情報センサが開示されている。
【先行技術文献】
【特許文献】
【０００５】
【特許文献１】国際公開第２０１６／０２４４７６号公報
【発明の概要】
【発明が解決しようとする課題】
【０００６】
しかしながら、特許文献１に開示された生体情報センサでは、脈波センサ装置で測定した脈波波形のデータを信号処理部にそのまま無線で送信していた。この場合、両方の装置は、常時、通信状態を確保する必要がある。そのため、送信装置及び受信装置の消費電力は大きくなっていた。
【０００７】
本発明の目的は、上記事情に着目してなされたもので、人体への装着が容易で消費電力の少ない生体データ測定システム及び生体データ測定方法を提供することである。
【課題を解決するための手段】
【０００８】
本開示の第１の態様は、生体データ測定システムにおいて、第１の生体データを測定する測定部と、前記第１の生体データの第１の特徴量の発生時刻に対応する第１の基準時刻を設定する設定部と、前記第１の基準時刻から予め決められた第１の期間経過後の時刻に信号を送信する送信部とを備える送信装置と、第２の生体データを測定する測定部と、前記第２の生体データの第２の特徴量の発生時刻に対応する第２の基準時刻を設定する設定部と、前記第２の基準時刻から第２の期間経過後の時刻からの第３の期間の間、前記信号を待ち受ける状態を維持する受信部とを備える受信装置と、を備えるものである。
【０００９】
第１の態様によれば、送信装置による信号の送信タイミングは、第１の生体データの第１の特徴量の発生時刻に対応する第１の基準時刻に基づいて決まる。送信装置は、最低限、第１の基準時刻から第１の期間経過後の時刻に信号を送信すればよい。送信装置は、常時、通信状態を確保する必要はない。そのため、送信装置は、通信に要する消費電力を抑えることができる。  
さらに、信号を待ち受けるための第３の期間は、第２の生体データの第２の特徴量の発生時刻に対応する第２の基準時刻に基づいて決まる。受信装置は、最低限、第３の期間に信号を待ち受けていれば、送信装置との通信を成功させることができる。受信装置は、常時、通信状態を確保する必要はない。そのため、受信装置は、通信に要する消費電力を抑えることができる。  
したがって、生体データ測定システムは、人体への装着が容易であるだけでなく、消費電力を少なくすることができる。
【００１０】
本開示の第２の態様は、第１の態様において、前記受信装置が、前記第２の基準時刻から前記信号の受信時刻までの第４の期間を算出し、前記第１の期間と前記第４の期間との時間差に基づいてＰＴＴを算出する算出部をさらに備えるようにしたものである。
【００１１】
送信装置が信号を送信するタイミングは第１の基準時刻に基づいているため、受信装置は、第１の期間と前記第４の期間との時間差を計算するだけでＰＴＴを算出することができる。受信装置は、送信装置と常時通信することなくＰＴＴを算出することができるので、通信に要する消費電力を抑えることができる。
【００１２】
本開示の第３の態様は、第１の態様において、前記受信装置が、所定の回数連続する前記第３の期間内における前記信号の未受信に基づいて、前記第２の期間の長さ及び前記第３の期間の長さのうちの少なくとも何れか一方を調整する調整部をさらに備えるようにしたものである。
【００１３】
血圧の変動によるＰＴＴの変化により、第２の基準時刻から受信装置に信号が到達する時刻までの期間は変化する。受信装置は、受信装置に到達する信号を受信できない状態が続くことを解消することができる。
【００１４】
本開示の第４の態様は、第１の態様において、前記受信装置が、前記信号の受信時刻が前記第３の期間内における所定時刻ではない場合、前記信号の受信時刻が前記第３の期間内における前記所定時刻に近づくように前記第２の期間の長さを調整する調整部をさらに備えるようにしたものである。
【００１５】
血圧の変動によるＰＴＴの変化により、第２の基準時刻から受信装置に信号が到達する時刻までの期間は、短くなることもあるし、長くなることもある。受信装置は、第２の期間の長さを調整することで、ＰＴＴの変化によって第２の基準時刻から受信装置に信号が到達する時刻までの期間が変化したとしても、信号を受信できなくなる可能性を減らすことができる。
【００１６】
本開示の第５の態様は、第１の態様において、前記受信装置が、前記第２の基準時刻から前記信号の受信時刻までの第４の期間を算出する算出部と、前記第４の期間の算出毎に前記第２の期間の長さ及び前記第３の期間の長さのうちの少なくとも何れか一方を調整する調整部とをさらに備えるようにしたものである。
【００１７】
受信装置は、ユーザ毎に最適な第２の期間及び第３の期間を設定することができる。さらに、受信装置は、第３の期間を必要最低限の長さまで短縮することができるので、消費電力を抑えることができる。
【００１８】
本開示の第６の態様は、第１の態様において、前記第１の生体データがＥＣＧ波であり、前記第２の生体データが脈波であるようにしたものである。
【００１９】
電力量は電力と時間の積で求まる。電流値は、送信装置の方が受信装置よりも大きい。他方、受信装置が信号を待ち受ける第３の期間は、送信装置が信号を送信する期間よりも長い。そのため、消費電力量は、送信装置よりも受信装置の方が大きくなる。ここで、脈波波形の品質は、ＥＣＧ波形の品質よりも悪くなる可能性がある。受信装置は、脈波の第２の特徴量を検出しなければ、受信不可状態から受信待機状態へ移行することはない。そのため、受信装置は、不必要に受信不可状態から受信待機状態へ移行することはないので、より消費電力を抑えることできる。
【００２０】
本開示の第７の態様は、送信装置において、第１の生体データを測定する過程と、前記送信装置において、前記第１の生体データの第１の特徴量の発生時刻に対応する第１の基準時刻を設定する過程と、前記送信装置において、前記第１の基準時刻から予め決められた第１の期間経過後の時刻に信号を送信する過程と、受信装置において、第２の生体データを測定する過程と、前記受信装置において、前記第２の生体データの第２の特徴量の発生時刻に対応する第２の基準時刻を設定する過程と、前記受信装置において、前記第２の基準時刻から第２の期間経過後の時刻からの第３の期間の間、前記信号を待ち受ける状態を維持する過程と、を備える生体データ測定方法である。
【００２１】
第７の態様によれば、生体データ測定方法は、上述の第１の態様と同様の効果を得ることができる。
【発明の効果】
【００２２】
本発明によれば、人体への装着が容易で通信に要する消費電力の少ない生体データ測定システム及び生体データ測定方法を提供することができる。
【図面の簡単な説明】
【００２３】
【図１】本実施形態に係る生体データ測定システムの概要を模式的に示す図。
【図２】本実施形態に係る生体データ測定システムの構成を例示する図。
【図３】本実施形態に係るＥＣＧ測定装置のハードウェア構成を例示するブロック図。
【図４】本実施形態に係るＥＣＧ測定装置のソフトウェア構成を例示するブロック図。
【図５】本実施形態に係る脈波測定装置のハードウェア構成を例示するブロック図。
【図６】本実施形態に係る脈波測定装置のソフトウェア構成を例示するブロック図。
【図７】本実施形態に係る生体データ測定システムにおける信号の送信及び受信タイミングを例示する図。
【図８】本実施形態に係るＥＣＧ測定装置における信号の送信処理を例示するフローチャート。
【図９】本実施形態に係る脈波測定装置における信号の受信処理を例示するフローチャート。
【図１０】本実施形態に係る脈波測定装置における調整処理の一例を示すフローチャート。
【図１１】本実施形態に係る脈波測定装置における調整処理の別の例を示すフローチャート。
【発明を実施するための形態】
【００２４】
以下、本開示に係る実施の形態（以下、「本実施形態」とも表記する）を、図面に基づいて説明する。ただし、以下で説明する本実施形態は、あらゆる点において例示に過ぎない。なお、以降、説明済みの要素と同一または類似の要素には同一または類似の符号を付し、重複する説明については基本的に省略する。なお、本実施形態において登場するデータは、自然言語により説明されるが、より具体的には、疑似言語、コマンド、パラメータ、マシン語などで指定される。
【００２５】
§１  概要  
本実施形態は、生体データを測定する送信装置と受信装置との間を無線化した生体データ測定システムに関するものである。受信装置は、送信装置から所定のタイミングに送信される信号の受信に基づいてＰＴＴを算出する。受信装置は、ＰＴＴに基づいて血圧を推定する。送信装置と受信装置における信号の送受信のタイミングは、生体データの周期と一致または略一致するように設定されている。  
図１は、生体データ測定システム１の概要を模式的に示す図である。  
生体データ測定システム１は、ＥＣＧ測定装置１０及び脈波測定装置２０を備える。生体データ測定システム１は、ＥＣＧ測定装置１０と脈波測定装置２０との間で、ＥＣＧのピークの発生時刻及び脈波のピークの発生時刻などの時刻を示す情報を共有することなく、ＰＴＴを算出するシステムである。
【００２６】
ＥＣＧ測定装置１０は、ＥＣＧを測定する装置である。ＥＣＧ測定装置１０は、２つの電極が人体の心臓を挟むように配置される。ＥＣＧ測定装置１０は、ＥＣＧのピークを検出する。ＥＣＧ測定装置１０は、ＥＣＧのピークの検出に基づいて、ＥＣＧのピークの発生時刻を検出する。ＥＣＧ測定装置１０は、ＥＣＧのピークの発生時刻に対応する第１の基準時刻ｔ１を設定する。ＥＣＧ測定装置１０は、第１の基準時刻ｔ１から予め決められた第１の期間Ｔ１経過後の時刻ｔ４に信号を脈波測定装置２０へ送信する。
【００２７】
脈波測定装置２０は、脈波を測定する装置である。脈波測定装置２０は、人体の所定の位置に配置される。脈波測定装置２０は、脈波のピークを検出する。脈波測定装置２０は、脈波のピークの検出に基づいて、脈波のピークの発生時刻を検出する。脈波測定装置２０は、脈波のピークの発生時刻に対応する第２の基準時刻ｔ２を設定する。脈波測定装置２０は、第２の基準時刻ｔ２から第２の期間Ｔ２経過後の時刻ｔ３からの第３の期間Ｔ３の間、信号を待ち受ける状態を維持する。第４の期間Ｔ４は、第２の基準時刻ｔ２から信号の受信時刻である時刻ｔ４までの期間である。第１の期間Ｔ１と第４の期間Ｔ４との時間差は、第１の基準時刻ｔ１と第２の基準時刻ｔ２との間隔に相当する。脈波測定装置２０は、第１の期間Ｔ１と第４の期間Ｔ４との時間差に基づいてＰＴＴを算出する。このように、脈波測定装置２０は、ＥＣＧ測定装置１０と脈波測定装置２０との間で第１の基準時刻ｔ１を示す情報を共有しなくても、予め決められた第１の期間Ｔ１及び脈波測定装置２０で測定される第４の期間Ｔ４に基づいてＰＴＴを算出することができる。
脈波測定装置２０は、ＰＴＴに基づいて血圧を推定する。
【００２８】
このように、ＥＣＧ測定装置１０による信号の送信タイミングは、ＥＣＧのピークの発生時刻に対応する第１の基準時刻ｔ１に基づいて決まる。ＥＣＧ測定装置１０は、最低限、第１の基準時刻ｔ１から第１の期間Ｔ１経過後の時刻ｔ４に信号を送信すればよい。ＥＣＧ測定装置１０は、常時、通信状態を確保する必要はない。そのため、ＥＣＧ測定装置１０は、通信に要する消費電力を抑えることができる。
【００２９】
さらに、信号を待ち受けるための第３の期間Ｔ３は、脈波のピークの発生時刻に対応する第２の基準時刻ｔ２に基づいて決まる。脈波測定装置２０は、最低限、第３の期間Ｔ３に信号を待ち受けていれば、ＥＣＧ測定装置１０との通信を成功させることができる。脈波測定装置２０は、常時、通信状態を確保する必要はない。そのため、脈波測定装置２０は、通信に要する消費電力を抑えることができる。
【００３０】
したがって、生体データ測定システム１は、人体への装着が容易であるだけでなく、消費電力を少なくすることができる。
【００３１】
§２  構成例  
＜生体データ測定システム＞  
図２は、生体データ測定システム１の構成を例示する図である。  
生体データ測定システム１は、ＥＣＧ測定装置１０及び脈波測定装置２０を備える。ＥＣＧ測定装置１０及び脈波測定装置２０は、無線で通信する。ＥＣＧ測定装置１０が脈波測定装置２０へ信号を送信する例を説明するので、ＥＣＧ測定装置１０は送信装置の一例であり、脈波測定装置２０は受信装置の一例である。なお、送信は、発信ということもある。生体データ測定システム１は、ＥＣＧ測定装置１０と脈波測定装置２０との間で、以下に例示する時刻を示す情報を共有することなく、ＰＴＴを算出するシステムである。ＥＣＧ測定装置１０は、ＥＣＧの測定に基づいて、後述するようにＥＣＧの第１の特徴量の発生時刻に対応する第１の基準時刻を設定するが、脈波測定装置２０へ第１の基準時刻を示す情報を送信することはない。そのため、ＥＣＧ測定装置１０及び脈波測定装置２０は、第１の基準時刻を示す情報を共有しない。また、脈波測定装置２０は、脈波の測定に基づいて、後述するように脈波の第２の特徴量の発生時刻に対応する第２の基準時刻を設定するが、ＥＣＧ測定装置１０へ第２の基準時刻を示す情報を送信することはない。そのため、ＥＣＧ測定装置１０及び脈波測定装置２０は、第２の基準時刻を示す情報を共有しない。
【００３２】
ＥＣＧ測定装置１０は、ＥＣＧを測定する装置である。ＥＣＧ測定装置１０は、２つの電極１０３が人体の心臓を挟むように配置される。なお、ＥＣＧ測定装置１０が配置される位置は、人体の上腕であってもよく、限定されない。ＥＣＧ測定装置１０の構成については後述する。ＥＣＧ波形のデータは、生体データの一例である。ＥＣＧ波形のデータは、単に、ＥＣＧということもある。ＥＣＧ波形のデータは、第１の生体データともいう。
【００３３】
脈波測定装置２０は、脈波を測定する装置である。脈波測定装置２０は、人体の所定の位置に配置される。脈波測定装置２０が配置される位置は、人体の手首近傍であってもよく、限定されない。脈波測定装置２０の構成については後述する。脈波波形のデータは、生体データの一例である。脈波波形のデータは、単に、脈波ということもある。脈波波形のデータは、第２の生体データともいう。
【００３４】
＜ＥＣＧ測定装置＞
［ハードウェア構成］  
図３は、ＥＣＧ測定装置１０のハードウェア構成を例示するブロック図である。  
ＥＣＧ測定装置１０は、ＭＰＵ（Ｍｉｃｒｏ  Ｐｒｏｃｅｓｓｉｎｇ  Ｕｎｉｔ）１０１と、メモリ１０２と、複数の電極１０３と、ＥＣＧ測定部１０４と、バッテリ１０５と、無線通信部１０６と、アンテナ１０７とを備える。
【００３５】
ＭＰＵ１０１は、ＥＣＧ測定装置１０の各要素の制御及び各種処理を実行する。ＭＰＵ１０１は、プロセッサの一例である。ＭＰＵ１０１は、後述するメモリ１０２に格納されているＥＣＧ測定装置１０を実行させるためのプログラムを展開する。ＭＰＵ１０１は、展開されたプログラムを解釈及び実行することで、ソフトウェア構成の項目において説明される各部を実行可能である。
【００３６】
メモリ１０２は、プログラム及び各種データを記憶する要素である。例えば、メモリ１０２は、半導体メモリである。メモリ１０２は、ＭＰＵ１０１で実行されるプログラムを記憶する。プログラムは、ソフトウェア構成の項目において説明される各部としてＥＣＧ測定装置１０を実行させるものである。なお、プログラムは、予めメモリ１０２に記憶されていてもよい。プログラムは、ネットワークを介してＥＣＧ測定装置１０にダウンロードされてもよい。
【００３７】
複数の電極１０３は、ＥＣＧ測定用の電極である。例えば、複数の電極１０３は、２つの電極を備える。複数の電極１０３は、人体の所定の位置に貼り付けて用いられる。複数の電極１０３は、人体の心臓を挟み込む位置に配置されることが望ましいが、人体の上腕に配置されてもよく、限定されない。
【００３８】
ＥＣＧ測定部１０４は、複数の電極１０３間に発生する電位差を測定することで、ＥＣＧを測定する要素である。例えば、ＥＣＧ測定部１０４は、アンプ及びフィルタなどを備える。
【００３９】
バッテリ１０５は、電気エネルギーを蓄え、ＥＣＧ測定装置１０の各要素に電力を供給する要素である。例えば、バッテリ１０５は、充電可能なバッテリである。バッテリ１０５からＥＣＧ測定装置１０の各要素への電力供給は、ＭＰＵ１０１によって制御される。
【００４０】
無線通信部１０６は、アンテナ１０７を介して脈波測定装置２０へ信号を送信する要素である。無線通信部１０６は、送信部の一例である。例えば、無線通信部１０６は、無線通信のためのインタフェースを含む。無線通信部１０６は、ＭＰＵ１０１からの指示に基づいて信号を送信する。無線通信部１０６は、ＭＰＵ１０１の制御により、電力供給される状態または電力供給されない状態の何れかの状態にある。これに代えて、無線通信部１０６は、ＭＰＵ１０１の制御により、高い電力が供給される状態または低い電力が供給される状態の何れかの状態にあってもよい。信号は、固体識別番号を含む。固定識別番号は、ＥＣＧ測定装置１０を識別する情報である。無線通信の規格は任意の規格であってよく、限定されない。
【００４１】
なお、ＥＣＧ測定装置１０の具体的なハードウェア構成に関して、適宜、構成要素の省略、置換及び追加が可能である。
【００４２】
［ソフトウェア構成］
図４は、ＥＣＧ測定装置１０のソフトウェア構成を例示するブロック図である。  
ＭＰＵ１０１は、取得部１０１１と、設定部１０１２と、指示部１０１３とを実装する。なお、各部は、ＭＰＵ１０１以外のＥＣＧ測定装置１０を構成する他の要素に実装されてもよい。
【００４３】
取得部１０１１について説明する。  
取得部１０１１は、ＥＣＧ測定部１０４からＥＣＧ波形のデータをリアルタイムに取得する。取得部１０１１は、ＥＣＧ波形のデータを設定部１０１２へ出力する。
【００４４】
設定部１０１２について説明する。  
設定部１０１２は、以下に例示するように、ＥＣＧの第１の特徴量の発生時刻に対応する第１の基準時刻を設定する。第１の特徴量は、ＥＣＧの特徴的な状態である。例えば、第１の特徴量は、ＥＣＧのピークまたは立ち上がりであるが、これらに限定されない。例えば、発生時刻は、ＥＣＧのピークの発生時刻または立ち上がりの発生時刻であるが、これらに限定されない。設定部１０１２は、ＥＣＧの時間経過に伴う変化を観察し、事後的に第１の特徴量を検出する。設定部１０１２は、第１の特徴量の検出に基づいて、第１の特徴量の発生時刻を検出する。設定部１０１２は、第１の特徴量の発生時刻の検出に基づいて、第１の特徴量の発生時刻に対応する第１の基準時刻を設定する。設定部１０１２は、第１の基準時刻の設定を示す情報及び第１の基準時刻を示す情報を含む設定結果を指示部１０１３へ出力する。
【００４５】
指示部１０１３について説明する。  
指示部１０１３は、設定部１０１２からの設定結果に基づいて、第１の基準時刻から予め決められた第１の期間経過後の時刻に無線通信部１０６から信号を送信させるための指示を無線通信部１０６へ出力する。これにより、無線通信部１０６は、第１の基準時刻から予め決められた第１の期間経過後の時刻に信号を送信することができる。
【００４６】
ここで、第１の期間について説明する。第１の期間は、第１の基準時刻から信号が送信されるまでの遅延時間である。第１の基準時刻から第１の期間遅延させて信号を送信するのは、設定部１０１２が第１の特徴量を事後的にしか検出できないからである。第１の期間は、第１の特徴量を検出するための期間ともいえる。第１の期間は、固定期間である。第１の期間の長さは、ＥＣＧの一拍以内であっても、一拍以上であってもよい。なお、第１の期間の長さが一拍以上であれば、第１の特徴量を検出するための期間は長くなる。そのため、設定部１０１２は、第１の特徴量を精度よく検出することができる。
【００４７】
指示部１０１３は、無線通信部１０６が信号を送信する時刻の直前に、無線通信部１０６を送信不可状態から送信可能状態へ移行させるように制御してもよい。指示部１０１３は、無線通信部１０６が信号を送信する時刻の直後に、無線通信部１０６を送信可能状態から送信不可状態へ移行させるように制御してもよい。送信不可状態は、無線通信部１０６から信号を送信できない状態である。送信可能状態は、無線通信部１０６から信号を送信可能な状態である。例えば、送信不可状態は、無線通信部１０６に電力が供給されない状態であり、送信可能状態は、無線通信部１０６に電力が供給される状態である。あるいは、例えば、送信不可状態は、無線通信部１０６に低い電力が供給される状態であり、送信可能状態は、無線通信部１０６に高い電力が供給される状態であってもよい。無線通信部１０６は、送信可能状態において、信号を送信することができる。他方、無線通信部１０６は、送信不可状態において信号を送信する必要がないため、電力が供給されない、または、低い電力が供給される。これにより、ＥＣＧ測定装置１０は、信号の送信時以外の期間における消費電力を抑えることができる。
【００４８】
＜脈波測定装置＞
［ハードウェア構成］  
図５は、脈波測定装置２０のハードウェア構成を例示するブロック図である。  
脈波測定装置２０は、ＥＣＧ測定装置１０がＥＣＧの第１の特徴量に対応する第１の基準時刻から第１の期間経過後の時刻に送信する信号を受信する装置である。また、脈波測定装置２０は、ＥＣＧ測定装置１０からの信号の受信に基づいてＰＴＴを算出し、ＰＴＴに基づいて血圧を推定する装置である。  
脈波測定装置２０は、ＭＰＵ２０１と、メモリ２０２と、バッテリ２０３と、脈波センサ２０４と、アンテナ２０５と、無線通信部２０６と、カフ２０７と、ポンプ２０８と、血圧計制御部２０９と、表示部２１０とを備える。
【００４９】
ＭＰＵ２０１は、脈波測定装置２０の各要素の制御及び各種処理を実行する。ＭＰＵ２０１は、プロセッサの一例である。ＭＰＵ２０１は、後述するメモリ２０２に格納されている脈波測定装置２０を実行させるためのプログラムを展開する。ＭＰＵ２０１は、展開されたプログラムを解釈及び実行することで、ソフトウェア構成の項目において説明される各部を実行可能である。
【００５０】
メモリ２０２は、プログラム及び各種データを記憶する要素である。例えば、メモリ２０２は、半導体メモリである。メモリ２０２は、ＭＰＵ２０１で実行されるプログラムを記憶する。プログラムは、ソフトウェア構成の項目において説明される各部として脈波測定装置２０を実行させるものである。なお、プログラムは、予めメモリ２０２に記憶されていてもよい。プログラムは、ネットワークを介して脈波測定装置２０にダウンロードされてもよい。
【００５１】
バッテリ２０３は、電気エネルギーを蓄え、脈波測定装置２０の各要素に電力を供給する要素である。例えば、バッテリ２０３は、充電可能なバッテリである。バッテリ２０３から脈波測定装置２０の各要素への電力供給は、ＭＰＵ２０１によって制御される。
【００５２】
脈波センサ２０４は、脈波を測定するセンサである。脈波センサ２０４は、人体の所定の位置に配置される。脈波測定装置２０が配置される位置は、人体の手首近傍であってもよく、限定されない。脈波センサ２０４は、測定部の一例である。
【００５３】
アンテナ２０５は、ＥＣＧ測定装置１０から信号を受け取り、無線通信部２０６へ受け渡す。  
無線通信部２０６は、アンテナ２０５を介して、ＥＣＧ測定装置１０から信号を受信する要素である。無線通信部２０６は、受信部の一例である。例えば、無線通信部２０６は、無線通信のためのインタフェースを含む。無線通信部２０６は、ＥＣＧ測定装置１０からの信号の受信に基づいて、信号の受信時刻を検出する。無線通信部２０６は、信号を受信したこと及び信号の受信時刻を示す受信結果をＭＰＵ２０１へ出力する。
【００５４】
無線通信部２０６は、ＭＰＵ２０１の制御により、電力供給される状態または電力供給されない状態の何れかの状態にある。これに代えて、無線通信部２０６は、ＭＰＵ２０１の制御により、高い電力が供給される状態または低い電力が供給される状態の何れかの状態にあってもよい。
【００５５】
カフ２０７は、血圧測定時に人体の被測定部位を圧迫可能に構成されている。  
ポンプ２０８は、カフ２０７に流体を供給する。  
血圧計制御部２０９は、ポンプ２０８を制御し、血圧測定を実行する処理回路である。血圧計制御部２０９は、ＭＰＵ２０１からの血圧測定指示に基づいて血圧測定を開始する。
【００５６】
表示部２１０は、情報を表示する要素である。例えば、表示部２１０は、液晶ディスプレイである。
【００５７】
なお、脈波測定装置２０の具体的なハードウェア構成に関して、適宜、構成要素の省略、置換及び追加が可能である。
【００５８】
［ソフトウェア構成］
図６は、脈波測定装置２０のソフトウェア構成を例示するブロック図である。  
ＭＰＵ２０１は、取得部２０１１と、設定部２０１２と、切替部２０１３と、判断部２０１４と、算出部２０１５と、調整部２０１６と、測定処理部２０１７とを実装する。なお、各部は、ＭＰＵ２０１以外の脈波測定装置２０を構成する他の要素に実装されてもよい。
【００５９】
取得部２０１１について説明する。  
取得部２０１１は、脈波センサ２０４から脈波波形のデータをリアルタイムに取得する。取得部２０１１は、脈波波形のデータを設定部２０１２へ出力する。
【００６０】
設定部２０１２について説明する。  
設定部２０１２は、以下に例示するように、脈波の第２の特徴量の発生時刻に対応する第２の基準時刻を設定する。第２の特徴量は、脈波の特徴的な状態である。例えば、第２の特徴量は、脈波のピークまたは立ち上がりであるが、これらに限定されない。なお、第２の特徴量は、第１の特徴量と同種の特徴量である。そのため、第１の特徴量がＥＣＧのピークである場合、第２の特徴量は脈波のピークである。第１の特徴量がＥＣＧの立ち上がりである場合、第２の特徴量は脈波の立ち上がりである。例えば、発生時刻は、脈波のピークの発生時刻または立ち上がりの発生時刻であるが、これらに限定されない。なお、ピークよりも立ち上がりの検出精度が高いため、第１の特徴量及び第２の特徴量は、ピークよりも立ち上がりの方が好ましい。設定部２０１２は、脈波の時間経過に伴う変化を観察し、事後的に第２の特徴量を検出する。設定部２０１２は、第２の特徴量の検出に基づいて、第２の特徴量の発生時刻を検出する。設定部２０１２は、第２の特徴量の発生時刻の検出に基づいて、第２の特徴量の発生時刻に対応する第２の基準時刻を設定する。設定部２０１２は、第２の基準時刻の設定を示す情報及び第２の基準時刻を示す情報を含む設定結果を切替部２０１３、判断部２０１４及び算出部２０１５へ出力する。
【００６１】
切替部２０１３について説明する。  
切替部２０１３は、設定部２０１２からの設定結果に基づいて、以下に例示するように、無線通信部２０６を制御する。切替部２０１３は、設定部２０１２からの設定結果に含まれる第２の基準時刻を示す情報を参照する。切替部２０１３は、第２の基準時刻から第２の期間経過後の時刻に、受信不可状態から受信待機状態へ無線通信部２０６を移行させる。受信不可状態は、信号の受信を停止する状態である。受信待機状態は、信号を待ち受ける状態である。切替部２０１３は、第２の基準時刻から第２の期間経過後の時刻からの第３の期間の間、受信待機状態で無線通信部２０６を維持させる。切替部２０１３は、第３の期間経過後の時刻に、無線通信部２０６を受信待機状態から受信不可状態へ移行させる。
【００６２】
第２の期間及び第３の期間について説明する。第２の期間は、第３の期間の始まり時刻を設定するための期間である。第３の期間は、信号を待ち受けるための期間である。第３の期間の長さは、ある程度の余裕を持った所定期間以上の長さに設定される。その理由は、血圧の変動によるＰＴＴの変化により、第２の基準時刻から脈波測定装置２０における信号の受信時刻までの期間が変化するからである。なお、第２の期間及び第３の期間は変更可能な期間である。第２の期間及び第３の期間の長さは、ＥＣＧ測定装置１０からの信号が第３の期間に到達するように、後述する調整部２０１６によって適宜調整される。第２の期間の長さを示す情報及び第３の期間の長さを示す情報は、メモリ２０２に記憶されている。
【００６３】
受信不可状態及び受信待機状態について説明する。例えば、受信不可状態は、無線通信部２０６に電力が供給されない状態であり、受信待機状態は、無線通信部２０６に電力が供給される状態である。あるいは、例えば、受信不可状態は、無線通信部２０６に低い電力が供給される状態であり、受信待機状態は、無線通信部２０６に高い電力が供給される状態であってもよい。ＥＣＧ測定装置１０からの信号は第３の期間に到達する可能性が高いため、無線通信部２０６は、起動している必要がある。そのため、無線通信部２０６は、第３の期間には受信待機状態である。無線通信部２０６は、第３の期間において、信号を受信することができる。他方、ＥＣＧ測定装置１０からの信号は第３の期間以外の期間に到達する可能性が低い。無線通信部２０６は、第３の期間以外の期間において、ＥＣＧ測定装置１０からの信号を待ち受ける必要がない。そのため、無線通信部２０６は、第３の期間以外の期間には受信不可状態である。無線通信部２０６は、第３の期間以外の期間において、電力が供給されない、または、低い電力が供給される。これにより、脈波測定装置２０は、第３の期間以外の期間における消費電力を抑えることができる。
【００６４】
判断部２０１４について説明する。  
判断部２０１４は、以下に例示するように、第３の期間内に無線通信部２０６で信号を受信したか否かを判断する。判断部２０１４は、設定部２０１２から設定結果、メモリ２０２から第２の期間を示す情報及び第３の期間を示す情報を取得する。判断部２０１４は、これらの情報を参照して、第３の期間をカウントする。判断部２０１４は、無線通信部２０６から受信結果を取得する。判断部２０１４は、第３の期間のカウント中に無線通信部２０６から受信結果を取得したか否かに応じて、第３の期間内に無線通信部２０６で信号を受信したか否かを判断してもよい。判断部２０１４は、第３の期間のカウント中に無線通信部２０６から受信結果を取得した場合、第３の期間内に無線通信部２０６で信号を受信したと判断する。他方、判断部２０１４は、第３の期間のカウント中に無線通信部２０６から受信結果を取得しない場合、第３の期間内に無線通信部２０６で信号を受信していないと判断する。
【００６５】
さらに、判断部２０１４は、以下に例示するように、信号の受信時刻が第３の期間内における所定時刻か否かを判断する。判断部２０１４は、第３の期間の始まり時刻から終わり時刻までカウントする。判断部２０１４は、第３の期間と無線通信部２０６からの受信結果に含まれる信号の受信時刻とを比較する。これにより、判断部２０１４は、信号の受信時刻が第３の期間内における所定時刻か否かを判断する。例えば、所定時刻は、第３の期間の中心時刻であるが、これに限定されない。所定時刻は、第３の期間の中心時刻を含む所定範囲に含まれる何れかの時刻であってもよい。
【００６６】
判断部２０１４は、判断結果を調整部２０１６へ出力する。判断結果は、第３の期間内に無線通信部２０６で信号を受信したか否かを示す情報を含む。判断結果は、信号の受信時刻が第３の期間内における所定時刻か否かを示す情報を含む。
【００６７】
算出部２０１５について説明する。  
算出部２０１５は、以下に例示する処理を実行する。  
算出部２０１５は、第２の基準時刻から信号の受信時刻までの第４の期間を算出する。ここでは、算出部２０１５は、無線通信部２０６からの受信結果に含まれる信号の受信時刻を示す情報及び設定部２０１２からの設定結果に含まれる第２の基準時刻を示す情報を参照する。算出部２０１５は、第４の期間の長さを示す情報を調整部２０１６へ出力する。
【００６８】
さらに、算出部２０１５は、第１の期間と第４の期間との時間差に基づいてＰＴＴを算出する。ＰＴＴは、第１の基準時刻と第２の基準時刻との間隔に基づいているが、第１の期間と第４の期間との時間差は、第１の基準時刻と第２の基準時刻との間隔に相当する。なお、第１の期間の長さを示す情報は、メモリ２０２に予め記憶されていてもよい。これに代えて、第１の期間の長さを示す情報は、無線通信部２０６から信号に含まれていてもよい。このように、算出部２０１５は、ＥＣＧ測定装置１０と脈波測定装置２０との間で第１の基準時刻を示す情報を共有しなくても、予め決められた第１の期間及び脈波測定装置２０で測定される第４の期間に基づいてＰＴＴを算出することができる。
【００６９】
算出部２０１５は、ＰＴＴに基づいて血圧を推定する。算出部２０１５は、ＰＴＴに基づいて推定した血圧が所定期間内に定められた値だけ変動した場合、測定処理部２０１７へ血圧測定指示を出力する。
【００７０】
調整部２０１６について説明する。  
調整部２０１６は、第２の期間の長さ及び第３の期間の長さのうちの少なくとも何れか一方を調整する。調整部２０１６は、メモリ２０２からの第２の期間の長さを示す情報及び第３の期間の長さを示す情報、判断部２０１４からの判断結果及び算出部２０１５からの第４の期間の長さを示す情報を参照する。調整部２０１６による調整処理の典型例については後述する。
【００７１】
測定処理部２０１７について説明する。  
測定処理部２０１７は、算出部２０１５から血圧測定指示を受け取り、血圧測定指示を血圧計制御部２０９へ出力する。測定処理部２０１７は、算出部２０１５からの血圧測定指示に基づいて、表示部２１０にアラートを表示してもよい。アラートは、脈波測定装置２０が血圧測定を開始することをユーザに知らせることができればよい。測定処理部２０１７は、算出部２０１５からの血圧測定指示に基づいて、図示しないスピーカまたは振動体を用いて、アラートを出力してもよい。測定処理部２０１７は、算出部２０１５からの血圧測定指示に基づいて、無線通信部２０６を介して、図示しないスマートフォンなどの種々のデバイスにアラートの画面データを出力してもよい。
【００７２】
[送受信タイミング]
生体データ測定システム１における信号の送信及び受信タイミングについて説明する。  
図７は、生体データ測定システム１における信号の送信及び受信タイミングを例示する図である。上段には、ＥＣＧ測定装置１０が測定するＥＣＧのデータを示す。下段には、脈波測定装置２０が測定する脈波波形のデータを示す。ここでは、第１の特徴量はＲ波のピークであり、第２の特徴量は脈波のピークである。ＥＣＧ測定装置１０と脈波測定装置２０における信号の送受信のタイミングは、脈波の周期と一致または略一致するように設定されている。
【００７３】
第１の基準時刻ｔ１−１は、Ｒ波のピークの発生時刻に対応する。ＥＣＧ測定装置１０は、第１の基準時刻ｔ１−１から第１の期間Ｔ１−１経過後の時刻ｔ４−１に信号を送信する。無線通信部１０６は、ＭＰＵ１０１の制御により、時刻ｔ４−１の直前に送信不可状態から送信可能状態へ移行してもよい。無線通信部１０６は、ＭＰＵ１０１の制御により、時刻ｔ４−１の直後に送信可能状態から送信不可状態へ移行してもよい。第２の基準時刻ｔ２−１は、脈波のピークの発生時刻に対応する。無線通信部２０６は、ＭＰＵ１０１の制御により、第２の基準時刻ｔ２−１から第２の期間Ｔ２−１経過後の時刻ｔ３−１に、受信不可状態から受信待機状態へ移行する。無線通信部２０６は、ＭＰＵ１０１の制御により、第２の基準時刻ｔ２−１から第２の期間Ｔ２−１経過後の時刻ｔ３−１からの第３の期間Ｔ３−１の間、受信待機状態を維持する。無線通信部２０６は、時刻ｔ４−１に信号を受信する。無線通信部２０６は、ＭＰＵ２０１の制御により、第３の期間Ｔ３−１経過後の時刻ｔ５−１に、受信待機状態から受信不可状態へ移行する。第４の期間Ｔ４−１は、第２の基準時刻ｔ２−１から信号の受信時刻である時刻ｔ４−１までの期間である。第１の期間Ｔ１−１と第４の期間Ｔ４−１との時間差は、第１の基準時刻ｔ１−１と第２の基準時刻ｔ２−１との間隔であるＰＴＴに相当する。
【００７４】
§３  動作例  
＜ＥＣＧ測定装置＞  
[送信処理]  
ＥＣＧ測定装置１０による信号の送信処理について説明する。  
図８は、ＥＣＧ測定装置１０における信号の送信処理を例示するフローチャートである。なお、以下で説明する処理手順は一例に過ぎず、各処理は可能な限り変更されてよい。また、以下で説明する処理手順については、適宜、ステップの省略、置換及び追加が可能である。
【００７５】
ＥＣＧ測定部１０４は、ＥＣＧを測定する（Ｓｔｅｐ１０１）。Ｓｔｅｐ１０１では、ＥＣＧ測定部１０４は、上述のようにＥＣＧを測定する。  
設定部１０１２は、第１の基準時刻を設定する（Ｓｔｅｐ１０２）。Ｓｔｅｐ１０２では、設定部１０１２は、ＥＣＧの第１の特徴量の発生時刻に対応する第１の基準時刻を設定する。  
無線通信部１０６は、第１の基準時刻から予め決められた第１の期間経過後の時刻に信号を送信する（Ｓｔｅｐ１０３）。Ｓｔｅｐ１０３では、無線通信部１０６は、指示部１０１３の指示に基づいて、信号を送信する。
【００７６】
このように、ＥＣＧ測定装置１０は、第１の特徴量を検出する毎に第１の基準時刻から第１の期間経過後の時刻に信号を繰り返し送信する。他方、ＥＣＧ測定装置１０は、第１の特徴量を検出することができない場合、信号の送信を無効にする。ＥＣＧ測定装置１０は、不確実な第１の特徴量の検出に基づく信号の送信を無効することで、脈波測定装置２０におけるＰＴＴの測定精度の低下を防止することができる。さらに、無線通信部１０６は不必要に信号を脈波測定装置２０へ送信しないので、ＥＣＧ測定装置１０は、消費電力を抑えることができる。
【００７７】
なお、Ｓｔｅｐ１０２において、設定部１０１２は、第１の特徴量を予め設定された基準と比較してもよい。基準は、第１の特徴量の検出確度に基づいている。基準は、第１の特徴量の所望の検出確度に応じて任意に設定可能である。基準を構成する指標は、特に限定されない。第１の特徴量が基準を満たす場合、設定部１０１２は、第１の特徴量の発生時刻に対応する第１の基準時刻を設定する。他方、第１の特徴量が基準を満たさない場合、設定部１０１２は、第１の特徴量の発生時刻に対応する第１の基準時刻を設定しない。これにより、第１の特徴量が基準を満たさない場合、ＥＣＧ測定装置１０は、信号の送信を無効にすることができる。ＥＣＧ測定装置１０は、基準を満たさない第１の特徴量の検出に基づく信号の送信を無効にすることで、脈波測定装置２０におけるＰＴＴの測定精度の低下を防止することができる。さらに、無線通信部１０６は不必要に信号を脈波測定装置２０へ送信しないので、ＥＣＧ測定装置１０は、消費電力を抑えることができる。
＜脈波測定装置＞  
[受信処理]  
脈波測定装置２０による信号の受信処理について説明する。  
図９は、脈波測定装置２０における信号の受信処理を例示するフローチャートである。なお、以下で説明する処理手順は一例に過ぎず、各処理は可能な限り変更されてよい。また、以下で説明する処理手順については、適宜、ステップの省略、置換及び追加が可能である。
【００７８】
脈波センサ２０４は、脈波を測定する（Ｓｔｅｐ２０１）。設定部２０１２は、第２の基準時刻を設定する（Ｓｔｅｐ２０２）。Ｓｔｅｐ２０２では、設定部２０１２は、脈波の第２の特徴量の発生時刻に対応する第２の基準時刻を設定する。設定部２０１２が第２の基準時刻を設定した場合（Ｓｔｅｐ２０２、Ｙｅｓ）、切替部２０１３は、無線通信部２０６を制御する（Ｓｔｅｐ２０３）。Ｓｔｅｐ２０３では、切替部２０１３は、第２の基準時刻から第２の期間経過後の時刻からの第３の期間の間、受信待機状態で無線通信部２０６を維持させる。これにより、無線通信部２０６は、第２の基準時刻から第２の期間経過後の時刻からの第３の期間の間、受信待機状態を維持し、信号を待ち受ける。設定部２０１２が第２の基準時刻を設定しない場合（Ｓｔｅｐ２０２、Ｎｏ）、設定部２０１２は、第２の基準時刻を設定するまでＳｔｅｐ２０２を繰り返し処理する。設定部２０１２が第２の基準時刻を設定するまで、無線通信部２０６は、受信不可状態を維持する。
【００７９】
切替部２０１３は、第３の期間経過後の時刻に、無線通信部２０６を受信待機状態から受信不可状態へ移行させる（Ｓｔｅｐ２０４）。これにより、無線通信部２０６は、第３の期間経過後の時刻に、受信待機状態から受信不可状態へ移行する。
【００８０】
判断部２０１４は、第３の期間内に無線通信部２０６で信号を受信したか否かを判断する（Ｓｔｅｐ２０５）。判断部２０１４が第３の期間内に信号を受信したと判断した場合（Ｓｔｅｐ２０５、Ｙｅｓ）、算出部２０１５は、ＰＴＴを算出する（Ｓｔｅｐ２０６）。Ｓｔｅｐ２０６では、算出部２０１５は、第１の期間と第４の期間との時間差に基づいてＰＴＴを算出する。判断部２０１４は、第３の期間内に信号を受信していないと判断した場合（Ｓｔｅｐ２０５、Ｎｏ）、第３の期間内の信号の未受信が所定回数連続しているか否かを判断する（Ｓｔｅｐ２０７）。なお、所定回数は、任意に設定可能である。
【００８１】
第３の期間内の信号の未受信が所定回数連続していない場合（Ｓｔｅｐ２０７、Ｎｏ）、設定部２０１２は、Ｓｔｅｐ２０２を処理する。第３の期間内の信号の未受信が所定回数連続している場合（Ｓｔｅｐ２０７、Ｙｅｓ）、調整部２０１６は、第２の期間の長さ及び第３の期間の長さのうちの少なくとも何れか一方を調整する（Ｓｔｅｐ２０８）。Ｓｔｅｐ２０８では、調整部２０１６は、所定の回数連続する第３の期間内における信号の未受信に基づいて、第２の期間の長さ及び第３の期間の長さのうちの少なくとも何れか一方を調整する。調整部２０１６は、第２の期間の長さの調整に基づいて、メモリ２０２に記憶されている第２の期間の長さを示す情報を更新する。同様に、調整部２０１６は、第３の期間の長さの調整に基づいて、メモリ２０２に記憶されている第３の期間の長さを示す情報を更新する。
【００８２】
Ｓｔｅｐ２０２で説明したように、設定部２０１２が第２の基準時刻を設定するまで、無線通信部２０６は、受信不可状態を維持する。つまり、設定部２０１２が第２の基準時刻を設定しなければ、無線通信部２０６は、受信不可状態から受信待機状態へ移行することはない。脈波測定装置２０は、不確実な第２の特徴量の検出に基づく受信不可状態から受信待機状態への移行を無効にすることができる。これにより、脈波測定装置２０は、ＥＣＧ測定装置１０からの信号の受信を回避し、ＰＴＴの測定精度の低下を防止することができる。さらに、無線通信部２０６は不必要に受信停止状態から受信待機状態へ移行しないので、脈波測定装置２０は、消費電力を抑えることができる。
【００８３】
なお、Ｓｔｅｐ２０２において、設定部２０１２は、第２の特徴量を予め設定された基準と比較してもよい。基準は、第２の特徴量の検出確度に基づいている。基準は、第２の特徴量の所望の検出確度に応じて任意に設定可能である。基準を構成する指標は、特に限定されない。第２の特徴量が基準を満たす場合、設定部２０１２は、第２の特徴量の発生時刻に対応する第２の基準時刻を設定する。他方、第２の特徴量が基準を満たさない場合、設定部２０１２は、第２の特徴量の発生時刻に対応する第２の基準時刻を設定しない。これにより、第２の特徴量が基準を満たさない場合、無線通信部２０６は、受信不可状態から受信待機状態へ移行することはない。脈波測定装置２０は、ＥＣＧ測定装置１０からの信号の受信を回避し、ＰＴＴの測定精度の低下を防止することができる。さらに、無線通信部２０６は不必要に受信不可状態から受信待機状態へ移行しないので、脈波測定装置２０は、消費電力を抑えることができる。
【００８４】
なお、Ｓｔｅｐ２０７において、調整部２０１６は、以下のように、第２の期間の長さ及び第３の期間の長さのうちの少なくとも何れか一方を調整してもよい。調整部２０１６は、第２の期間の長さを維持した状態で、第３の期間の長さを変化させてもよい。調整部２０１６は、第３の期間の長さを維持した状態で、第２の期間の長さを変化させてもよい。調整部２０１６は、第２の期間の長さ及び第３の期間の長さの両方を変化させてもよい。なお、調整部２０１６は、少なくとも第３の期間の長さを長くするように調整する方が好ましい。第３の期間は長くなるが、無線通信部２０６は、ＰＴＴの変化が想定よりも大きかった場合であっても、確実に信号を受信することができるようになる。
【００８５】
[調整処理]  
脈波測定装置２０による調整処理の一例について説明する。  
図１０は、脈波測定装置２０における調整処理の一例を示すフローチャートである。脈波測定装置２０は、図１０に例示する調整処理により、信号を受信する毎に最適な第２の期間を設定する。なお、以下で説明する処理手順は一例に過ぎず、各処理は可能な限り変更されてよい。また、以下で説明する処理手順については、適宜、ステップの省略、置換及び追加が可能である。
【００８６】
無線通信部２０６は、ＥＣＧ測定装置１０から信号を受信する（Ｓｔｅｐ３０１）。調整部２０１６は、信号の受信時刻が第３の期間内における所定時刻か否かを判断する（Ｓｔｅｐ３０２）。Ｓｔｅｐ３０２では、調整部２０１６は、判断部２０１４からの判断結果に含まれる信号の受信時刻が第３の期間内における所定時刻か否かを示す情報を参照する。信号の受信時刻が第３の期間内における所定時刻である場合（Ｓｔｅｐ３０２、Ｙｅｓ）、脈波測定装置２０は調整処理を終了する。
【００８７】
信号の受信時刻が第３の期間内における所定時刻ではない場合（Ｓｔｅｐ３０２、Ｎｏ）、調整部２０１６は、第２の期間の長さを調整する（Ｓｔｅｐ３０３）。Ｓｔｅｐ３０３では、調整部２０１６は、信号の受信時刻が第３の期間内における所定時刻（例えば中心時刻）に近づくように第２の期間の長さを調整する。調整部２０１６は、直近の第４の期間の長さを参照することができる。調整部２０１６は、過去の複数の第４の期間の平均の長さを参照してもよい。調整部２０１６は、信号の受信時刻に相当する第４の期間の終わり時刻が第３の期間内における所定時刻に一致または略一致するように第２の期間の長さを調整することができる。調整部２０１６は、第２の期間の長さの調整に基づいて、メモリ２０２に記憶されている第２の期間の長さを示す情報を更新する。
【００８８】
調整処理の別の例について説明する。  
図１１は、脈波測定装置２０における調整処理の別の例を示すフローチャートである。脈波測定装置２０は、図１１に例示する調整処理により、ユーザ毎の第４の期間を学習し、ユーザ毎の最適な第２の期間及び第３の期間を設定する。例えば、脈波測定装置２０は、初期設定時またはリセット時に図１１に例示する調整処理を実行する。なお、以下で説明する処理手順は一例に過ぎず、各処理は可能な限り変更されてよい。また、以下で説明する処理手順については、適宜、ステップの省略、置換及び追加が可能である。
【００８９】
無線通信部２０６は、ＥＣＧ測定装置１０から信号を受信する（Ｓｔｅｐ４０１）。算出部２０１５は、第４の期間を算出する（Ｓｔｅｐ４０２）。Ｓｔｅｐ４０２では、算出部２０１５は、第２の基準時刻を示す情報及び信号の受信時刻を示す情報に基づいて、第４の期間を算出する。
【００９０】
調整部２０１６は、第２の期間の長さ及び第３の期間の長さのうちの少なくとも何れか一方を調整する（Ｓｔｅｐ４０３）。Ｓｔｅｐ４０３では、例えば、調整部２０１６は、Ｓｔｅｐ３０３と同様に、信号の受信時刻に相当する第４の期間の終わり時刻が第３の期間内における所定時刻に近づくように第２の期間の長さを調整する。調整部２０１６は、第２の期間の長さの調整に基づいて、メモリ２０２に記憶されている第２の期間の長さを示す情報を更新する。Ｓｔｅｐ４０３では、例えば、調整部２０１６は、第３の期間の長さを短くするように第３の期間の長さを調整する。調整部２０１６は、第３の期間の長さを所定割合短くしても、第３の期間の長さを所定長さ短くしてもよい。調整部２０１６は、第３の期間の長さの調整に基づいて、メモリ２０２に記憶されている第３の期間の長さを示す情報を更新する。
【００９１】
調整部２０１６は、第３の期間の長さが所定期間の長さに等しいか否かを判断する（Ｓｔｅｐ４０４）。Ｓｔｅｐ４０４では、調整部２０１６は、第３の期間が所定期間の長さに等しくなるまで短くなったか否かを判断する。第３の期間の長さが所定期間の長さに等しい場合（Ｓｔｅｐ４０４、Ｙｅｓ）、脈波測定装置２０は、調整処理を終了する。第３の期間の長さが所定期間の長さに等しくない場合（Ｓｔｅｐ４０４、Ｎｏ）、脈波測定装置２０は、Ｓｔｅｐ４０１からＳｔｅｐ４０４までの処理を繰り返す。第３の期間の長さが所定期間の長さに等しくない場合は、第３の期間の長さが所定期間の長さよりも長い場合に相当する。
【００９２】
このように、調整部２０１６は、第４の期間の算出毎に第２の期間の長さ及び第３の期間の長さのうちの少なくとも何れか一方を調整する。例えば、調整部２０１６は、第４の期間の算出毎に第２の期間の長さを調整し、第３の期間の始まり時刻及び終わり時刻を調整する。例えば、調整部２０１６は、第３の期間の長さが所定期間の長さに等しくなるまで、第４の期間の算出毎に第３の期間の長さを段階的に短くする。例えば、初期設定時またはリセット時には、無線通信部２０６は全期間を受信待機状態で維持し、調整部２０１６は、第４の期間の算出毎に受信待機状態に相当する第３の期間の長さを段階的に短くするようにしてもよい。
【００９３】
§４  作用・効果
以上説明したように、本実施形態では、生体データ測定システム１は、第１の基準時刻から第１の期間経過後の時刻に信号を送信する無線通信部１０６を備えるＥＣＧ測定装置１０と、第２の基準時刻から第２の期間経過後の時刻からの第３の期間の間、受信待機状態を維持する無線通信部２０６を備える脈波測定装置２０とを備える。  
このように、ＥＣＧ測定装置１０による信号の送信タイミングは、ＥＣＧの第１の特徴量の発生時刻に対応する第１の基準時刻に基づいて決まる。ＥＣＧ測定装置１０は、最低限、第１の基準時刻から第１の期間経過後の時刻に信号を送信すればよい。ＥＣＧ測定装置１０は、常時、通信状態を確保する必要はない。そのため、ＥＣＧ測定装置１０は、通信に要する消費電力を抑えることができる。  
さらに、信号を待ち受けるための第３の期間は、脈波の第２の特徴量の発生時刻に対応する第２の基準時刻に基づいて決まる。脈波測定装置２０は、最低限、第３の期間に信号を待ち受けていれば、ＥＣＧ測定装置１０との通信を成功させることができる。脈波測定装置２０は、常時、通信状態を確保する必要はない。そのため、脈波測定装置２０は、通信に要する消費電力を抑えることができる。  
したがって、生体データ測定システム１は、人体への装着が容易であるだけでなく、消費電力を少なくすることができる。  
さらに、ＥＣＧ測定装置１０及び脈波測定装置２０は生体データの測定精度を担保した上で無線で通信することができる。そのため、ユーザは、ＥＣＧ測定装置１０及び脈波測定装置２０を容易に装着することができる。  
さらに、ＥＣＧ測定装置１０及び脈波測定装置２０は、パッシブな動作で通信する。そのため、ＥＣＧ測定装置１０及び脈波測定装置２０は、消費電力を抑えることができるので、充電の手間を減らすことができる。さらに、ＥＣＧ測定装置１０及び脈波測定装置２０のバッテリサイズは小さくなるため、バッテリコストは抑えられる。バッテリサイズが小さくなることに伴い、ＥＣＧ測定装置１０及び脈波測定装置２０自体のサイズも小さくなる。  
さらに、ＥＣＧ測定装置１０及び脈波測定装置２０が既存の方式で通信するように構成することもできるので、デバイスコストは抑えられる。
【００９４】
本実施形態では、脈波測定装置２０は、第１の期間と前記第４の期間との時間差に基づいてＰＴＴを算出する。  
ＥＣＧ測定装置１０が信号を送信するタイミングは第１の基準時刻に基づいているため、脈波測定装置２０は、第１の期間と前記第４の期間との時間差を計算するだけでＰＴＴを算出することができる。脈波測定装置２０は、ＥＣＧ測定装置１０と常時通信することなくＰＴＴを算出することができるので、通信に要する消費電力を抑えることができる。
【００９５】
本実施形態では、脈波測定装置２０は、所定の回数連続する第３の期間内における信号の未受信に基づいて、第２の期間の長さ及び第３の期間の長さのうちの少なくとも何れか一方を調整する。  
血圧の変動によるＰＴＴの変化により、第２の基準時刻から脈波測定装置２０に信号が到達する時刻までの期間は変化する。脈波測定装置２０は、脈波測定装置２０に到達する信号を受信できない状態が続くことを解消することができる。
【００９６】
本実施形態では、脈波測定装置２０は、信号の受信時刻が第３の期間内における所定時刻ではない場合、信号の受信時刻が第３の期間内における所定時刻に近づくように第２の期間の長さを調整する。  
血圧の変動によるＰＴＴの変化により、第２の基準時刻から脈波測定装置２０に信号が到達する時刻までの期間は、短くなることもあるし、長くなることもある。脈波測定装置２０は、第２の期間の長さを調整することで、ＰＴＴの変化によって第２の基準時刻から脈波測定装置２０に信号が到達する時刻までの期間が変化したとしても、信号を受信できなくなる可能性を減らすことができる。
【００９７】
本実施形態では、脈波測定装置２０は、第４の期間の算出毎に第２の期間の長さ及び第３の期間の長さのうちの少なくとも何れか一方を調整する。  
これにより、脈波測定装置２０は、ユーザ毎に最適な第２の期間及び第３の期間を設定することができる。さらに、脈波測定装置２０は、第３の期間を必要最低限の長さまで短縮することができるので、消費電力を抑えることができる。
【００９８】
本実施形態では、送信装置はＥＣＧを測定するＥＣＧ測定装置１０であり、受信装置は脈波を測定する脈波測定装置２０である。  
電力量は電力と時間の積で求まる。電流値は、信号を送信するＥＣＧ測定装置１０の方が信号を受信する脈波測定装置２０よりも大きい。他方、脈波測定装置２０が信号を待ち受ける第３の期間は、ＥＣＧ測定装置１０が信号を送信する期間よりも長い。そのため、消費電力量は、ＥＣＧ測定装置１０よりも脈波測定装置２０の方が大きくなる。ここで、脈波波形の品質は、ＥＣＧ波形の品質よりも悪くなる可能性がある。脈波測定装置２０は、脈波の第２の特徴量を検出しなければ、受信不可状態から受信待機状態へ移行することはない。そのため、脈波測定装置２０は、不必要に受信不可状態から受信待機状態へ移行することはないので、より消費電力を抑えることできる。
【００９９】
§５  変形例  
５−１  変形例１  
上述の本実施形態では、ＥＣＧ測定装置１０が脈波測定装置２０に対して信号を送信する例を説明したが、これに限定されない。脈波測定装置２０が信号を送信する送信装置であり、ＥＣＧ測定装置１０が信号を受信する受信装置であってもよい。なお、ＰＴＴを測定する生体データ測定システム１は、ＥＣＧ測定装置１０に代えて、２つの脈波測定装置で構成されていてもよい。この場合、一方の脈波測定装置が信号を送信する送信装置であり、他方の脈波測定装置が信号を受信する受信装置である。
【０１００】
５−２  変形例２  
ＥＣＧ測定装置１０から脈波測定装置２０へ送信する信号は、ＢＬＥ（Ｂｌｕｅｔｏｏｔｈ（登録商標）  Ｌｏｗ  Ｅｎｅｒｇｙ）などにおけるアドバタイズ信号やビーコン信号などの方式を用いてもよい。なお、脈波測定装置２０は、信号の受信に基づいてＥＣＧ測定装置１０が第１の基準時刻から第１の期間経過後の時刻に信号を送信したことを認識することができればよい。そのため、無線通信するための信号の方式や規格は特に限定されない。生体データ測定システム１は、既存の方式で通信するように構成することもできるので、開発時間の低減が可能となる。
【０１０１】
５−３  変形例３  
要するにこの発明は、本実施形態そのままに限定されるものではなく、実施段階ではその要旨を逸脱しない範囲で構成要素を変形して具体化できる。また、本実施形態に開示されている複数の構成要素の適宜な組み合せにより種々の発明を形成できる。例えば、本実施形態に示される全構成要素からいくつかの構成要素を削除してもよい。さらに、異なる実施形態に亘る構成要素を適宜組み合わせてもよい。
【０１０２】
§６  付記  
本実施形態の一部または全部は、特許請求の範囲のほか以下の付記に示すように記載することも可能であるが、これに限定されない。  
（付記１）  
第１の生体データを測定する測定部（１０４）と、
前記第１の生体データの第１の特徴量の発生時刻に対応する第１の基準時刻を設定する設定部（１０１２）と、
前記第１の基準時刻から予め決められた第１の期間経過後の時刻に信号を送信する送信部（１０６）と、
を備える送信装置（１０）と、
第２の生体データを測定する測定部（２０４）と、
前記第２の生体データの第２の特徴量の発生時刻に対応する第２の基準時刻を設定する設定部（２０１２）と、
前記第２の基準時刻から第２の期間経過後の時刻からの第３の期間の間、前記信号を待ち受ける状態を維持する受信部（２０６）と、
を備える受信装置（２０）と、
を備える生体データ測定システム（１）。
【符号の説明】
【０１０３】
１…生体データ測定システム
１０…ＥＣＧ測定装置
２０…脈波測定装置
１０１…ＭＰＵ
１０２…メモリ
１０３…複数の電極
１０４…ＥＣＧ測定部
１０５…バッテリ
１０６…無線通信部
１０７…アンテナ
２０１…ＭＰＵ
２０２…メモリ
２０３…バッテリ
２０４…脈波センサ
２０５…アンテナ
２０６…無線通信部
２０７…カフ
２０８…ポンプ
２０９…血圧計制御部
２１０…表示部
１０１１…取得部
１０１２…設定部
１０１３…指示部
２０１１…取得部
２０１２…設定部
２０１３…切替部
２０１４…判断部
２０１５…算出部
２０１６…調整部
２０１７…測定処理部
【図１】
2020010983.tif 000003
【図２】
2020010983.tif 000004
【図３】
2020010983.tif 000005
【図４】
2020010983.tif 000006
【図５】
2020010983.tif 000007
【図６】
2020010983.tif 000008
【図７】
2020010983.tif 000009
【図８】
2020010983.tif 000010
【図９】
2020010983.tif 000011
【図１０】
2020010983.tif 000012
【図１１】
2020010983.tif 000013